(57)【要約】【課題】スペース的又はコスト的にネットワークタイムレコーダに用いる専用端末機が置けない場合であっても、従業者の勤怠管理を行うことを可能とした勤怠管理方法とそのシステム及び装置を提供する。【解決手段】従業者の所定行動に伴い、代金決済端末機２にて利用者決済カード５のカードデータを読み込ませると共に、所定行動に関連付けた所定数字の打刻を打刻値データとして受け付ける。このカードデータと打刻値データを、代金決済端末機データ及び打刻時間データと共に決済データとして決済管理装置３へ送る。決済管理装置３は、所定数字の打刻値データを有する決済データを勤怠データとして抽出して勤怠管理装置４へ送る。勤怠管理装置４は、勤怠データに基づき、カードデータより従業者、打刻値データより所定行動、代金決済端末機データより勤務先、打刻時間データより所定行動時刻、をそれぞれ特定して従業者の勤怠状況を管理する。【選択図】図１
2004227548.tif 000002
【特許請求の範囲】
【請求項１】
通信ネットワークを介して従業者の勤怠管理を行なう方法であって、従業者の所定行動に伴い、代金決済端末機では、カードリーダ部より利用者決済カードのカードデータを読み込むと共に、キー入力部より所定行動の項目に関連付けられている所定数字の打刻を打刻値データとして受け付け、これらカードデータ及び打刻値データを、カードデータを読み込んだ代金決済端末機データ及び打刻を行った打刻時間データと共に決済データとして代金決済端末機から通信ネットワークを介して決済管理装置へ送り、決済管理装置では決済データの中から所定数字の打刻値データを有する決済データを勤怠データとして抽出して勤怠管理装置へ送り、勤怠管理装置ではこの勤怠データに基づいて、カードデータより従業者を特定し、打刻値データより従業者の所定行動を特定し、代金決済端末機データより勤務先を特定し、打刻時間データより従業者の所定行動時刻を特定して、従業者の勤怠状況を管理することを特徴とする代金決済端末機を用いた勤怠管理方法。
【請求項２】
通信ネットワークを介して従業者の勤怠管理を行なう方法であって、従業者の所定行動に伴い、代金決済端末機において、カードリーダ部より利用者決済カードのカードデータを読み込むと共に、キー入力部より所定行動の項目に関連付けられている所定数字の打刻を打刻値データとして受け付け、これらカードデータ及び打刻値データを、カードデータを読み込んだ代金決済端末機データ及び打刻を行った打刻時間データと共に決済データとし、この決済データを、カードデータより従業者を特定し、打刻値データより従業者の所定行動を特定し、代金決済端末機データより勤務先を特定し、打刻時間データより従業者の所定行動時刻を特定して、従業者の勤怠状況を管理するようにした勤怠管理装置へ通信ネットワークを介して送ることを特徴とする代金決済端末機を用いた勤怠管理方法。
【請求項３】
通信ネットワークを介して従業者の勤怠管理を行なう方法であって、従業者の所定行動に伴い、代金決済端末機が、カードリーダ部より読み込んだ利用者決済カードのカードデータと、キー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取り、決済管理装置において、この決済データの中から所定数字の打刻値データを有する決済データを勤怠データとして抽出し、抽出した勤怠データを、カードデータより従業者を特定し、打刻値データより従業者の所定行動を特定し、代金決済端末機データより勤務先を特定し、打刻時間データより従業者の所定行動時刻を特定して、従業者の勤怠状況を管理するようにした勤怠管理装置へ送ることを特徴とする代金決済端末機を用いた勤怠管理方法。
【請求項４】
通信ネットワークを介して従業者の勤怠管理を行なう方法であって、従業者の所定行動に伴い、代金決済端末機が、カードリーダ部より読み込んだ利用者決済カードのカードデータと、キー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取った決済管理装置が、この決済データの中から所定数字の打刻値データを有する決済データを勤怠データとして抽出した勤怠データを受け取り、勤怠管理装置において、この勤怠データに基づき、カードデータより従業者を特定し、打刻値データより従業者の所定行動を特定し、代金決済端末機データより勤務先を特定し、打刻時間データより従業者の所定行動時刻を特定して、従業者の勤怠状況を管理することを特徴とする代金決済端末機を用いた勤怠管理方法。
【請求項５】
通信ネットワークを介して従業者の勤怠管理を行なう方法であって、従業者の所定行動に伴い、代金決済端末機が、カードリーダ部より読み込んだ利用者決済カードのカードデータと、キー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取り、勤怠管理装置において、この決済データもしくはこの決済データの中から所定数字の打刻値データを有する決済データを勤怠データとして抽出した勤怠データに基づき、カードデータより従業者を特定し、打刻値データより従業者の所定行動を特定し、代金決済端末機データより勤務先を特定し、打刻時間データより従業者の所定行動時刻を特定して、従業者の勤怠状況を管理することを特徴とする代金決済端末機を用いた勤怠管理方法。
【請求項６】
前記打刻値データは、その数値を従業者の勤怠状況管理の費用とする課金データとして用いることを特徴とする請求項１から５の何れかに記載の代金決済端末機を用いた勤怠管理方法。
【請求項７】
前記所定行動の打刻完了後、打刻を証するレシートを発行することを特徴とする請求項１から６の何れかに記載の代金決済端末機を用いた勤怠管理方法。
【請求項８】
通信ネットワークを介して従業者の勤怠管理を行なうシステムであって、従業者の所定行動に伴い、カードリーダ部より利用者決済カードのカードデータを読み込むと共に、キー入力部より所定行動の項目に関連付けられている所定数字の打刻を打刻値データとして受け付け、これらカードデータ及び打刻値データを、カードデータを読み込んだ代金決済端末機データ及び打刻を行った打刻時間データと共に決済データとして代金決済端末機から通信ネットワークを介して決済管理装置へ送る代金決済端末機と、代金決済端末機から送られた決済データの中から所定数字の打刻値データを有する決済データを勤怠データとして抽出して勤怠管理装置へ送る決済管理装置と、この勤怠データに基づいて、カードデータより従業者を特定し、打刻値データより従業者の所定行動を特定し、代金決済端末機データより勤務先を特定し、打刻時間データより従業者の所定行動時刻を特定して、従業者の勤怠状況を管理する勤怠管理装置とからなることを特徴とする代金決済端末機を用いた勤怠管理システム。
【請求項９】
通信ネットワークを介して従業者の勤怠管理を行なうシステムであって、従業者の所定行動に伴い、カードリーダ部より利用者決済カードのカードデータを読み込むと共に、キー入力部より所定行動の項目に関連付けられている所定数字の打刻を打刻値データとして受け付け、これらカードデータ及び打刻値データを、カードデータを読み込んだ代金決済端末機データ及び打刻を行った打刻時間データと共に決済データとして、通信ネットワークを介して勤怠管理装置へ送る代金決済端末機と、代金決済端末機から送られた決済データに基づいて、カードデータより従業者を特定し、打刻値データより従業者の所定行動を特定し、代金決済端末機データより勤務先を特定し、打刻時間データより従業者の所定行動時刻を特定して、従業者の勤怠状況を管理する勤怠管理装置とからなることを特徴とする代金決済端末機を用いた勤怠管理システム。
【請求項１０】
通信ネットワークを介して従業者の勤怠管理を行なうシステムであって、従業者の所定行動に伴い、カードリーダ部より利用者決済カードのカードデータを読み込むと共に、キー入力部より所定行動の項目に関連付けられている所定数字の打刻を打刻値データとして受け付け、これらカードデータ及び打刻値データを、カードデータを読み込んだ代金決済端末機データ及び打刻を行った打刻時間データと共に決済データとして代金決済端末機から通信ネットワークを介して勤怠管理装置へ送る代金決済端末機と、代金決済端末機から送られた決済データの中から所定数字の打刻値データを有する決済データを勤怠データとして抽出し、抽出した勤怠データに基づいて、カードデータより従業者を特定し、打刻値データより従業者の所定行動を特定し、代金決済端末機データより勤務先を特定し、打刻時間データより従業者の所定行動時刻を特定して、従業者の勤怠状況を管理する勤怠管理装置とからなることを特徴とする代金決済端末機を用いた勤怠管理システム。
【請求項１１】
前記勤怠管理装置は、打刻値データの数値を従業者の勤怠状況を管理する費用を求める課金データとして登録することを特徴とする請求項７から９の何れかに記載の代金決済端末機を用いた勤怠管理システム。
【請求項１２】
通信ネットワークを介して行なわれる従業者の勤怠管理に用いる装置であって、従業者の所定行動に伴い、利用者決済カードのカードデータを読み込む手段、及び所定行動の項目に関連付けられている所定数字の打刻を受け付ける手段と、これらカードデータ及び打刻値データと共に、カードデータを読み込んだ代金決済端末機データ及び打刻を行った打刻時間データを決済データとして、この決済データを利用する装置へ通信ネットワークを介して送る手段とを有することを特徴とする装置。
【請求項１３】
前記決済データの内容を表示するレシートを発行する手段を有することを特徴とする請求項１２に記載の装置。
【請求項１４】
通信ネットワークを介して行なわれる従業者の勤怠管理に用いる装置であって、従業者の所定行動に伴い、代金決済端末機が、カードリーダ部より読み込んだ利用者決済カードのカードデータ、及びキー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取る手段と、受け取った決済データの中から所定数字の打刻値データを有する決済データを勤怠データとして抽出する手段と、抽出した勤怠データを、勤怠データに基づき従業者の勤怠状況を管理するようにした装置へ送る手段とを有することを特徴とする装置。
【請求項１５】
通信ネットワークを介して行なわれる従業者の勤怠管理に用いる装置であって、従業者の所定行動に伴い、代金決済端末機が、カードリーダ部より読み込んだ利用者決済カードのカードデータ、及びキー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取る手段と、受け取った決済データに基づき、カードデータより従業者を特定する手段、打刻値データより従業者の所定行動を特定する手段、代金決済端末機データより勤務先を特定する手段、打刻時間データより従業者の所定行動時刻を特定する手段と、特定された従業者、所定行動、勤務先、所定行動時刻を記録する手段とを有することを特徴とする装置。
【請求項１６】
前記打刻値データの数値を課金データとして従業者の勤怠管理費用を求める手段を有することを特徴とする請求項１５に記載の装置。
【発明の詳細な説明】
【０００１】
【発明の属する技術分野】
この発明は、通信ネットワークを介して従業者の出退時刻等の勤怠管理を行なうようにした方法とそのシステム及び装置に係り、詳しくは、代金決済端末機を用いて所定行動の打刻を行ない、勤怠管理を行なうようにした勤怠管理方法とそのシステム及び装置に関する。
【０００２】
【従来の技術】
近年、通信ネットワークを介して従業者の出退時刻等の勤怠管理を行うようにした所謂ネットワークタイムレコーダが広く普及されてきている。このようなネットワークタイムレコーダによる従業者の出退時刻等の勤怠管理の手段として、例えば、社員証カードとカードリーダを備える専用端末機と管理パソコンとで構成されるシステムであって、社員が出退社時等に、出入口に設置されたカードリーダを備える専用端末機から社員証カードに記録されている社員コードを読み取らせ、社員コードに対応した出退社データ、休暇データ等を入力して専用端末機のメモリに記録し、専用端末機に記録されたデータを管理パソコンに送信して、管理パソコンにてそれらのデータを集計することにより社員の勤怠管理を行うようにしたものが提案されている（特許文献１参照）。
【０００３】
また、代金決済端末機を利用して決済情報以外の情報を送信する手段としては、例えば、少なくとも所持者の個人情報が記録された記録媒体（決済カード）から個人情報を読み出すと共に、この個人情報を決済センタにネットワークを介して送信する決済手段を具備する決済端末装置であって、さらに決済手段に対する外的な異常要因を検知する検知手段と、前記異常要因の検知により警備会社へネットワークを介して通報を行う通報手段とを加えることにより、決済端末が使用される施設に対する異常要因を、決済機能に対する間接的な異常要因として検知して、決済端末装置よりその異常要因の通報を行ようにしたものが提案されている（特許文献２参照）。
【０００４】
【特許文献１】
特開平９−１１５０２１号公報
【特許文献２】
特開２００１−３３８３５３号公報
【０００５】
【発明が解決しようとする課題】
しかしながら、上述したネットワークタイムレコーダによる従業者の勤怠管理手段においては、従業者の出勤や退勤といった所定行動の際に、従業者認証用の社員証カードを読み込ませるためのカードリーダや、ＩＤやパスワード等の入力動作を行うためのタッチ式パネルやキーボード等を具備した、例えばパーソナルコンピュータ型の専用端末機が必要である。ところが、このような専用端末機は設置するのに所定のスペースを要し、バックヤードが狭く、商品倉庫も兼ねて行っていることがあるので物を置くスペースが少ない小規模店舗等では、このような専用端末機設置のためのスペースが確保されず、ネットワークタイムレコーダを利用した従業者の勤怠管理を行なうことが出来ないものであった。
【０００６】
また、勤務地が特定されず定期的に変更されることのある派遣従業者や、少人数しかいない勤務先での従業者の勤怠管理を行うのに、派遣先毎または配属勤務先毎に専用端末機を準備するのは、専用端末機を設置するスペースを要しないばかりか、多大なコストを要するものである。
【０００７】
また、上述した代金決済端末機を利用して異常要因検知の通報を行うようにした手段においては、赤外線センサ、開閉センサ、火災センサおよび磁気センサなどといった異常要因の検知を行うための検知手段が別途必要であると共に、異常要因の検知により警備会社へネットワークを介して通報を行う通報手段が、決済センタにネットワークを介して個人情報を送信する決済手段とは別に必要となる。したがって、このような技術を利用して従業者の勤怠管理を行うようにした場合は、代金決済端末機に対して、従業者の出勤や退勤等を検知する手段が必要であると共に、従業者の出勤や退勤等を勤怠管理会社へネットワークを介して通報を行う通報手段が別途必要なものとなり、代金決済端末機の構成が複雑なものとなってしまう。
【０００８】
さらに、今までのネットワークタイムレコーダによる従業者の勤怠管理手段においては、一名に付き月額いくら（何円）もしくは一職場いくら（何円）という固定性の課金方法であったため、月の途中で辞めた従業者や、たまにしか勤務しない従業者も、一ヶ月フルに勤務した従業者と同じ費用を課金されており、公平性に欠けているものであった。
【０００９】
本発明は、上記の事情に基づきなされたもので、その目的とするところは、スペース的にネットワークタイムレコーダに用いる専用端末機の置けないところや、コスト的に同専用端末機を置けない場合であっても、代金決済端末機に何ら手を加えずそのまま用いることによって、省スペース、低コストで通信ネットワークを介して従業者の出退時刻等の勤怠管理を行うことを可能とした勤怠管理方法とそのシステム及び装置を提供することにある。また、本発明は、実際に従業者が勤務した実績に合わせて公平に課金することを可能とした勤怠管理方法とそのシステム及び装置を提供することをも目的とする。
【００１０】
【課題を解決するための手段】
本発明は、従業者の出勤や退勤といった行動を受け付けるための端末機として、従業者に配布される認証機能付きカードのカードデータを読み取らせるカードリーダ部や、数字の打刻入力が可能なキー入力部、及び打刻入力した数字の表示を可能とする出力表示部を具備する代金決済端末機を用いることとし、さらに代金決済端末機でのカードデータの読み取りの際に打刻される所定の数字と、出勤や退勤といった所定の行動項目とを関連付けて、従業者の勤怠管理を行うこととしたもの、言わば代金決済端末機での決済金額を打刻種別として所定の行動が把握できるように利用したものである。
【００１１】
すなわち、上述の目的を達成するため、本発明の第一の勤怠管理方法は、請求項１に記載のとおり、通信ネットワークを介して従業者の勤怠管理を行なう方法であって、従業者の所定行動に伴い、代金決済端末機では、カードリーダ部より利用者決済カードのカードデータを読み込むと共に、キー入力部より所定行動の項目に関連付けられている所定数字の打刻を打刻値データとして受け付け、これらカードデータ及び打刻値データを、カードデータを読み込んだ代金決済端末機データ及び打刻を行った打刻時間データと共に決済データとして代金決済端末機から通信ネットワークを介して決済管理装置へ送り、決済管理装置では決済データの中から所定数字の打刻値データを有する決済データを勤怠データとして抽出して勤怠管理装置へ送り、勤怠管理装置ではこの勤怠データに基づいて、カードデータより従業者を特定し、打刻値データより従業者の所定行動を特定し、代金決済端末機データより勤務先を特定し、打刻時間データより従業者の所定行動時刻を特定して、従業者の勤怠状況を管理するようにしたものである。
【００１２】
ここで、通信ネットワークとは、本発明では、インターネット回線や電話回線、その他の専用回線等の通信回線を意味し、有線、無線の別は問わない。また、従業者の所定行動とは、本発明では、例えば出勤や退勤、休憩出、休憩戻、等といった使用者が評価の上で管理したい従業者の行動に伴ってなされる、従業者決済カードのカードリーダへの読み込み動作のことを言う。なお、カードリーダへの読み込み動作は、利用者決済カードを通過させたり、差し込んだりする接触型とするものの他、利用者決済カードをかざすだけでデータが読み込まれる非接触型としても良い。
【００１３】
また、本発明での利用者決済カードとは、従業者認証用の社員証カード、及び従業者認証データを具備するクレジットカードやデビットカード、プリペイドカード、電子マネーカード（すなわち、通貨と等価値を有するデジタルデータを電子貨幣として記録媒体に記録させたもの）などの決済カードのことを言う。
【００１４】
また、代金決済端末機は、認証機能付きの利用者決済カードからこれに記録された個人情報やカード情報等のカードデータの読み取り（及び更新カードデータ書き込み）を可能とする手段、カードデータの読み取りの際に所定の数字の打刻を可能とするキー入力手段、打刻入力した数字を出力して打刻入力された数字の確認を可能とする表示手段、及びこれら情報をカード決済センタにネットワークを介して送信する各手段を少なくとも具備するものを言う。したがって、金銭の出納を記録する機械である所謂レジスターや、ハンディタイプのものであっても良い。
【００１５】
また、所定行動の項目に関連付けられている所定数字とは、例えば出勤したという行動を「９」で示し、退勤したという行動を「８」で示し、昼休憩に入るという行動を「４」で示し、昼休憩を終えるという行動を「３」で示すように、その行動がわかるように定義付けられた数字のことを言う。したがって、所定の数字から所定の行動が特定されれば良いので、行動と数字の関連付けは上述した行動と数字の組み合わせに何ら限定されること無く、任意に取り決めて良い。
【００１６】
このように、所定の行動に伴って利用者決済カードをカードリーダ部より読み込ませると共に、所定行動の項目に関連付けられている所定の数字をキー入力部より打刻することで、従業者を特定するカードデータ及び所定行動が何なのかを特定する数字の打刻値データが、商品の買い物等をした代金の決済データと同様に、カードデータを読み込んだ代金決済端末機データ及び打刻を行った打刻時間データと共に、決済データとして代金決済端末機から通信ネットワークを介して決済管理装置へ送られる。次いで、これら決済データの中からこの所定数字を含む決済データが、勤怠データとして抽出され勤怠管理装置へ送られる。そして、勤怠管理装置において、勤怠データにおける所定の数字の打刻値データよりその行動が何なのかが特定されると共に、カードリーダ部より読み取ったカードデータ、カードデータを読み込んだ代金決済端末機データ、及び代金決済端末機で打刻を行った打刻時間データより、従業者、勤務先、及び所定行動時刻がそれぞれ特定され、従業者の勤怠状況を管理することが出来る。したがって、利用者決済カードが決済を伴わない従業者認証用の社員証カードであっても、決済カードと同様に利用することで、従業者の勤怠状況を管理することが出来る。
【００１７】
また、本発明の第二の勤怠管理方法は、請求項２に記載のとおり、通信ネットワークを介して従業者の勤怠管理を行なう方法であって、従業者の所定行動に伴い、代金決済端末機において、カードリーダ部より利用者決済カードのカードデータを読み込むと共に、キー入力部より所定行動の項目に関連付けられている所定数字の打刻を打刻値データとして受け付け、これらカードデータ及び打刻値データを、カードデータを読み込んだ代金決済端末機データ及び打刻を行った打刻時間データと共に決済データとし、この決済データを、カードデータより従業者を特定し、打刻値データより従業者の所定行動を特定し、代金決済端末機データより勤務先を特定し、打刻時間データより従業者の所定行動時刻を特定して、従業者の勤怠状況を管理するようにした勤怠管理装置へ通信ネットワークを介して送るようにしたものでもある。
【００１８】
このように、所定の行動に伴い代金決済端末機において、利用者決済カードをカードリーダ部より読み込ませると共に、所定行動の項目に関連付けられている所定の数字をキー入力部より打刻することで、利用者決済カードから従業者を特定するカードデータが読み取られると共に、所定行動が何なのかを特定する数字の打刻値データが受け付けられ、これらカードデータと打刻値データを、勤務先を特定する代金決済端末機データ及び従業者の所定行動時刻を特定する打刻時間データと共に決済データとして、従業者の勤怠状況を管理するようにした勤怠管理装置へ通信ネットワークを介して送ることが出来る。
【００１９】
また、本発明の第三の勤怠管理方法は、請求項３に記載のとおり、通信ネットワークを介して従業者の勤怠管理を行なう方法であって、従業者の所定行動に伴い、代金決済端末機が、カードリーダ部より読み込んだ利用者決済カードのカードデータと、キー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取り、決済管理装置において、この決済データの中から所定数字の打刻値データを有する決済データを勤怠データとして抽出し、抽出した勤怠データを、カードデータより従業者を特定し、打刻値データより従業者の所定行動を特定し、代金決済端末機データより勤務先を特定し、打刻時間データより従業者の所定行動時刻を特定して、従業者の勤怠状況を管理するようにした勤怠管理装置へ送るようにしたものでもある。
【００２０】
このように、従業者の所定行動に伴って、カードリーダ部より読み込んだ利用者決済カードのカードデータと、キー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取ることで、決済管理装置において、この決済データの中から所定数字の打刻値データを有する決済データを勤怠データとして抽出して、従業者の勤怠状況を管理するようにした勤怠管理装置へ通信ネットワークを介して送ることが出来る。
【００２１】
また、本発明の第四の勤怠管理方法は、請求項４に記載のとおり、通信ネットワークを介して従業者の勤怠管理を行なう方法であって、従業者の所定行動に伴い、代金決済端末機が、カードリーダ部より読み込んだ利用者決済カードのカードデータと、キー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取った決済管理装置が、この決済データの中から所定数字の打刻値データを有する決済データを勤怠データとして抽出した勤怠データを受け取り、勤怠管理装置において、この勤怠データに基づき、カードデータより従業者を特定し、打刻値データより従業者の所定行動を特定し、代金決済端末機データより勤務先を特定し、打刻時間データより従業者の所定行動時刻を特定して、従業者の勤怠状況を管理するようにしたものでもある。
【００２２】
このように、従業者の所定行動に伴って、カードリーダ部より読み込んだ利用者決済カードのカードデータと、キー入力部より受け付けた所定行動の項目に関連付けられている所定数字の打刻による打刻値データと、カードデータを読み込んだ代金決済端末機データと、打刻を行った打刻時間データとを、決済データとし、この決済データの中から所定数字の打刻値データを有する決済データを抽出して勤怠データとして受け取ることで、勤怠管理装置において、抽出された勤怠データにおける、カードデータより従業者を特定し、打刻値データより従業者の所定行動を特定し、代金決済端末機データより勤務先を特定し、打刻時間データより従業者の所定行動時刻を特定して、従業者の勤怠状況を管理することが出来る。
【００２３】
また、本発明の第五の勤怠管理方法は、請求項５に記載のとおり、通信ネットワークを介して従業者の勤怠管理を行なう方法であって、従業者の所定行動に伴い、代金決済端末機が、カードリーダ部より読み込んだ利用者決済カードのカードデータと、キー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取り、勤怠管理装置において、この決済データもしくはこの決済データの中から所定数字の打刻値データを有する決済データを勤怠データとして抽出した勤怠データに基づき、カードデータより従業者を特定し、打刻値データより従業者の所定行動を特定し、代金決済端末機データより勤務先を特定し、打刻時間データより従業者の所定行動時刻を特定して、従業者の勤怠状況を管理するようにしたものでもある。
【００２４】
このように、従業者の所定行動に伴い、カードリーダ部より読み込んだ利用者決済カードのカードデータ、所定行動の項目に関連付けられ、所定行動が何なのかを特定する所定の数字をキー入力部より打刻した打刻値データ、カードデータを読み込んだ代金決済端末機データ、及び打刻を行った打刻時間データを、決済データとして代金決済端末機から受け取ることで、勤怠管理装置において、受け取った決済データの中から所定数字の打刻値データを有する決済データを勤怠データとして抽出し、抽出した勤怠データにおける、カードデータより従業者を特定し、打刻値データより従業者の所定行動を特定し、代金決済端末機データより勤務先を特定し、打刻時間データより従業者の所定行動時刻を特定する作業を行い、従業者の決済状況の管理と共に、従業者の勤怠状況を管理することが出来る。
【００２５】
また、本発明の第六の勤怠管理方法は、請求項６に記載のとおり、上述の各発明の勤怠管理方法に加え、打刻値データは、その数値を従業者の勤怠状況管理の費用とする課金データとして用いるようにしたものでもある。
【００２６】
このように、所定行動に伴って代金決済端末機のキー入力部より打刻された打刻値データの数値を、従業者の勤怠状況管理の費用とする課金データとして用いることで、実際に管理された所定行動の項目だけに課金をすることが出来ると共に、打刻された打刻値データの数値をそのまま従業者の勤怠状況管理の費用として請求することが出来る。
【００２７】
また、本発明の第七の勤怠管理方法は、請求項７に記載のとおり、上述の各発明の勤怠管理方法に加え、さらに所定行動の打刻完了後、打刻を証するレシートを発行するようにしたものでもある。
【００２８】
このように、所定行動の打刻を証するレシートを発行することで、勤怠管理が行なわれている所定行動を従業者自ら確認することが出来ると共に、従業者が行った所定行動を他者に証明することが可能なものとなる。また、所定行動の打刻の際に、キー入力部より打刻された打刻値データの数値を従業者の勤怠管理を行なう費用として利用者決済カードで課金した場合、勤怠管理費用の支払い（決済）を他者へ証明することも出来ることとなる。
【００２９】
そして、上述した本発明の第一の勤怠管理方法は、請求項８に記載のとおり、以下に記載の勤怠管理システムにより共に達成することが出来る。すなわち、本発明の第一の勤怠管理システムは、通信ネットワークを介して従業者の勤怠管理を行なうシステムであって、従業者の所定行動に伴い、カードリーダ部より利用者決済カードのカードデータを読み込むと共に、キー入力部より所定行動の項目に関連付けられている所定数字の打刻を打刻値データとして受け付け、これらカードデータ及び打刻値データを、カードデータを読み込んだ代金決済端末機データ及び打刻を行った打刻時間データと共に決済データとして、通信ネットワークを介して決済管理装置へ送る代金決済端末機と、代金決済端末機から送られた決済データの中から所定数字の打刻値データを有する決済データを勤怠データとして抽出して勤怠管理装置へ送る決済管理装置と、この勤怠データに基づいて、カードデータより従業者を特定し、打刻値データより従業者の所定行動を特定し、代金決済端末機データより勤務先を特定し、打刻時間データより従業者の所定行動時刻を特定して、従業者の勤怠状況を管理する勤怠管理装置、とからなるものである。
【００３０】
このように、所定の行動に伴って、利用者決済カードを代金決済端末機のカードリーダ部より読み込ませると共に、所定行動の項目に関連付けられている所定の数字をキー入力部より打刻することで、代金決済端末機では、カードデータ及び打刻値データを、カードデータを読み込んだ代金決済端末機データ及び打刻を行った打刻時間データと共に決済データとして、代金決済端末機から通信ネットワークを介して決済管理装置へ送ることが出来る。また、決済管理装置では、これら決済データの中からこの所定数字を含む決済データが勤怠データとして抽出し、この抽出した勤怠データを勤怠管理装置へ送ることが出来る。そして、勤怠管理装置では、キー入力部より打刻入力された所定数字の打刻値データによってその行動が何なのかが特定されると共に、カードリーダ部より読み取ったカードデータ、カードデータを読み込んだ代金決済端末機データ、及び代金決済端末機で打刻を行った打刻時間データより、従業者、勤務先、及び所定行動時刻がそれぞれ特定され、従業者の勤怠状況を管理することが出来る。
【００３１】
また、本発明の第二の勤怠管理システムは、請求項９に記載のとおり、通信ネットワークを介して従業者の勤怠管理を行なうシステムであって、従業者の所定行動に伴い、カードリーダ部より利用者決済カードのカードデータを読み込むと共に、キー入力部より所定行動の項目に関連付けられている所定数字の打刻を打刻値データとして受け付け、これらカードデータ及び打刻値データを、カードデータを読み込んだ代金決済端末機データ及び打刻を行った打刻時間データと共に決済データとして代金決済端末機から通信ネットワークを介して勤怠管理装置へ送る代金決済端末機と、代金決済端末機から送られた決済データに基づいて、カードデータより従業者を特定し、打刻値データより従業者の所定行動を特定し、代金決済端末機データより勤務先を特定し、打刻時間データより従業者の所定行動時刻を特定して、従業者の勤怠状況を管理する勤怠管理装置、とからなるものでもある。
【００３２】
このように、代金決済端末機では、所定行動の項目に関連付けられ、所定行動が何なのかを特定する所定の数字をキー入力部より打刻することが可能である。そして、所定の行動に伴って利用者決済カードをカードリーダ部より読み込ませたカードデータ、及びキー入力部より打刻した数字の打刻値データを、カードデータを読み込んだ代金決済端末機データ及び打刻を行った打刻時間データと共に決済データとして、代金決済端末機から通信ネットワークを介して勤怠管理装置へ送ることが出来る。そして、勤怠管理装置では、カードデータより従業者を特定し、打刻値データより従業者の所定行動を特定し、代金決済端末機データより勤務先を特定し、打刻時間データより従業者の所定行動時刻を特定して、従業者の勤怠状況を管理することが出来る。
【００３３】
また、本発明の第三の勤怠管理システムは、請求項１０に記載のとおり、通信ネットワークを介して従業者の勤怠管理を行なうシステムであって、従業者の所定行動に伴い、カードリーダ部より利用者決済カードのカードデータを読み込むと共に、キー入力部より所定行動の項目に関連付けられている所定数字の打刻を打刻値データとして受け付け、これらカードデータ及び打刻値データを、カードデータを読み込んだ代金決済端末機データ及び打刻を行った打刻時間データと共に決済データとして代金決済端末機から通信ネットワークを介して勤怠管理装置へ送る代金決済端末機と、代金決済端末機から送られた決済データの中から所定数字の打刻値データを有する決済データを勤怠データとして抽出し、抽出した勤怠データに基づいて、カードデータより従業者を特定し、打刻値データより従業者の所定行動を特定し、代金決済端末機データより勤務先を特定し、打刻時間データより従業者の所定行動時刻を特定して、従業者の勤怠状況を管理する勤怠管理装置、とからなるものでもある。
【００３４】
このように、代金決済端末機では、所定行動の項目に関連付けられ、所定行動が何なのかを特定する所定の数字をキー入力部より打刻することが可能である。そして、所定の行動に伴って利用者決済カードをカードリーダ部より読み込ませたカードデータ、及びキー入力部より打刻した数字の打刻値データを、カードデータを読み込んだ代金決済端末機データ及び打刻を行った打刻時間データと共に決済データとして、代金決済端末機から通信ネットワークを介して勤怠管理装置へ送ることが出来る。そして、勤怠管理装置では、受け取った決済データの中から所定数字の打刻値データを有する決済データを勤怠データとして抽出し、この抽出した勤怠データにける、カードデータより従業者を特定し、打刻値データより従業者の所定行動を特定し、代金決済端末機データより勤務先を特定し、打刻時間データより従業者の所定行動時刻を特定することが容易となり、従業者の勤怠状況の管理を効率良く行なうことが出来る。
【００３５】
また、本発明の第四の勤怠管理システムは、請求項１１に記載のとおり、上述した各発明の勤怠管理システムに加え、勤怠管理装置は、打刻値データの数値を従業者の勤怠状況を管理する費用を求める課金データとして用いるようにしたものでもある。
【００３６】
このように、勤怠管理装置では、所定の行動に伴って代金決済端末機のカードリーダ部より読み込まれた利用者決済カードのカードデータ、所定行動の項目に関連付けられ、所定行動が何なのかを特定する所定の数字をキー入力部より打刻した打刻値データ、カードデータを読み込んだ代金決済端末機データ、及び打刻を行った打刻時間データを、決済データとして代金決済端末機から受け取ることが出来る。そして、受け取った決済データの中から所定数字の打刻値データを有する決済データを勤怠データとして抽出し、抽出された勤怠データにおける、カードデータより従業者を特定し、打刻値データより従業者の所定行動を特定し、代金決済端末機データより勤務先を特定し、打刻時間データより従業者の所定行動時刻を特定することを効率良く行い、従業者の勤怠状況を管理することが出来ると共に、従業者の勤怠管理費用の管理も行なうことが出来る。
【００３７】
また、上述した本発明の勤怠管理システムは、請求項１２に記載のとおり、以下に記載の装置を有する。すなわち、本発明の装置は、通信ネットワークを介して行なわれる従業者の勤怠管理に用いる装置であって、従業者の所定行動に伴い、利用者決済カードのカードデータを読み込む手段、及び所定行動の項目に関連付けられている所定数字の打刻を受け付ける手段と、これらカードデータ及び打刻値データと共に、カードデータを読み込んだ代金決済端末機データ及び打刻を行った打刻時間データを決済データとして、この決済データを利用する装置へ通信ネットワークを介して送る手段とを有するようにしたものである。
【００３８】
ここで、決済データを利用する装置とは、決済データの中から所定数字の打刻値データを有する決済データを勤怠データとして抽出する装置、または決済データに基づき従業者の勤怠状況を管理するようにした装置、もしくは決済データの中から所定数字の打刻値データを有する決済データを勤怠データとして抽出し、抽出した勤怠データに基づき従業者の勤怠状況を管理するようにした装置のことを言う。
【００３９】
また、本発明の第二の装置は、請求項１３に記載のとおり、上述の発明の第一の装置に加え、決済データの内容を表示するレシートを発行する手段を有するようにしたものである。
【００４０】
また、上述した本発明の各勤怠管理システムは、請求項１４に記載のとおり、以下に記載の装置をも有する。すなわち、本発明の第三の装置は、通信ネットワークを介して行なわれる従業者の勤怠管理に用いる装置であって、従業者の所定行動に伴い、代金決済端末機が、カードリーダ部より読み込んだ利用者決済カードのカードデータ、及びキー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取る手段と、受け取った決済データの中から所定数字の打刻値データを有する決済データを勤怠データとして抽出する手段と、抽出した勤怠データを、勤怠データに基づき従業者の勤怠状況を管理するようにした装置へ送る手段とを有するようにしたものである。
【００４１】
また、上述した本発明の各勤怠管理システムは、請求項１５に記載のとおり、以下に記載の装置をも有する。すなわち、本発明の第四の装置は、通信ネットワークを介して行なわれる従業者の勤怠管理に用いる装置であって、従業者の所定行動に伴い、代金決済端末機が、カードリーダ部より読み込んだ利用者決済カードのカードデータ、及びキー入力部より受け付けた所定行動の項目に関連付けられている所定数字の打刻による打刻値データと、カードデータを読み込んだ代金決済端末機データと、打刻を行った打刻時間データとを、決済データとして代金決済端末機より通信ネットワークを介して受け取る手段と、受け取った決済データに基づき、カードデータより従業者を特定する手段、打刻値データより従業者の所定行動を特定する手段、代金決済端末機データより勤務先を特定する手段、打刻時間データより従業者の所定行動時刻を特定する手段と、特定された従業者、所定行動、勤務先、所定行動時刻を記録する手段とを有するようにしたものである。
【００４２】
さらに、本発明の第五の装置は、請求項１６に記載のとおり、上述の発明の第四の装置に加え、打刻値データの数値を課金データとして、従業者の勤怠状況を管理する費用を求める手段を有するようにしたものでもある。
【００４３】
【発明の実施の形態】
以下、本発明の各実施の形態について、図面に基づきそれぞれ説明する。
まず、図１は本発明の各実施の形態に係る勤怠管理方法を実施するためのシステムを総合的に示す概略構成図であり、図２は、その構成を簡略的に示すブロック図である。図１及び図２に示すように、本実施の形態で用いる勤怠管理システム１は、基本的に、従業者の識別コード（ＩＤ）といった個人情報やカード情報といったカードデータを記録する決済用記録媒体としての利用者決済カード５と、この利用者決済カード５よりカードデータを読み込む機能を有する代金決済端末機２と、通信ネットワークとしてインターネット１０を介して接続された、代金決済端末機２よりカードデータ等の必要な情報を受け取る決済端末装置３及び勤怠管理装置４とから構成されている。なお、図示しないが、上述した何れの装置においても動作を制御するＣＰＵ（中央演算装置）と、制御プログラムを記録したＲＯＭ（リードオンメモリ）とを有している。
【００４４】
そして、上述のような構成を基本とし、本発明の実施の形態として、自社専用のネットワークタイムレコーダ端末機を有さない（設置していない）派遣先での従業者の勤怠管理を行う場合について説明する。なお、利用者決済カード５としては、カードデータとして従業者認証データを具備（記録）する決済カードを用いる。
【００４５】
代金決済端末機２には、利用者決済カード５に記録されているカードデータを読み込むカードリーダ部１２ａ及び利用者決済カード５に記録されているカードデータを書き換えるカードライタ部１２ｂが具備された、利用者決済カード５を通過させるためのスリット部１１が設けられている。このスリット部１１は、利用者決済カード５を通過させるようにしたものではなく、差し込むようにしたものであっても良い。また、スリット部１１は、利用者決済カード５の種類に応じ、通貨と等価値を有するデジタルデータを電子貨幣として記録させていないものにおいては、カードリーダ部１２ａだけを具備させるようにしても良い。さらに、カードリーダ部１２ａ及びカードライタ部１２ｂは、利用者決済カード５を通過させたり、差し込んだりする接触型とするものではなく、利用者決済カード５をかざすだけでデータが読み込まれる非接触型としても良い。
【００４６】
また、代金決済端末機２には、従業者の所定行動の項目に関連付けられている所定数字の打刻を受け付けるテンキー（キーパッド）としての複数の押しボタンからなるキー入力部１３と、入力された所定数字を確認するためのディスプレイからなる表示部１４と、所定行動に伴って受け付けたデータの内容を印字したレシート（領収書）を発行（印刷）するプリンタからなるレシート発行部１５が具備されている。さらに、代金決済端末機２には、カードリーダ部１２ａで読み込んだカードデータや、キー入力部１３で受け付けた打刻値データを決済端末装置３へ送るための通信部１６が具備されている。
【００４７】
ここで、所定行動とは、例えば従業者の出勤や退勤、昼休憩入り、昼休憩終了といった使用者（雇用者）が従業者の勤怠評価を行うために把握しておきたい行動のことを言う。そして、この各行動に伴って、利用者決済カード５をスリット部１１に通したり、差し込んだりすることで、従業者の識別コード（ＩＤ）といった個人情報や利用者決済カード５のカード情報といったカードデータの読み込みがカードリーダ部１２ａより行われると共に、それぞれ「９」とか「８」とかいったその行動がわかるように定義付けられた数字の入力（打刻）がキー入力部１３より行われる。なお、所定行動と数字の関連付けは、所定の数字から所定の行動が特定されれば良いので何ら限定されること無く、任意に取り決めて良い。したがって、本実施の形態においては、キー入力部１３の打刻を、出勤時は「９」とし、退勤時は「８」とし、昼休憩入り時は「４」とし、昼休憩終了時は「３」とする。
【００４８】
また、代金決済端末機２は、従業者の所定行動に伴う情報入力部としてのカードリーダ部１２ａやキー入力部１３を具備していれば、派遣先がコンビニエンスストアや飲食店の店舗等に予め設置された金銭の出納を記録する機械である所謂レジスターであっても良い。
【００４９】
そして、カードリーダ部１２ａから読み込まれたカードデータやキー入力部１３から入力された打刻値データは、カードデータを読み込んだ代金決済端末機データ及び打刻を行った打刻時間データと共に決済データとして、この代金決済端末機２より定期的に一日一回所定の時刻に決済管理装置３へと送信される。なお、決済管理装置３への決済データの送信は、本実施の形態の場合、一日一回所定の時刻になされるものとしたが、これに限らず所定行動に伴ってその都度決済管理装置３へと送信されるようにしても良い。
【００５０】
さらに、代金決済端末機２には、ウェッブ（ＷＷＷ）に接続するためのアプリケーションソフトウェアや、利用者決済カード５から必要なデータを読み取るためのアプリケーションソフトウェアが組み込まれている。
【００５１】
決済管理装置３は、代金決済端末機２より定期的に送信された、カードデータと打刻値データと代金決済端末機データと打刻時間データからなる決済データを受け取って記録するデータ記録部２１と、受け取った決済データの中から所定数字の打刻値データを有する決済データを勤怠データとして抽出するデータ抽出部２２と、代金決済端末機２より決済データを受け取ると共に、抽出した勤怠データを勤怠管理装置４へと送る通信部２３を具備している。
【００５２】
また、決済管理装置３には、図示しないが、従業者の識別コード（ＩＤ）といった個人情報やカード情報といったカードデータが記録された利用者決済カード５が、使用（決済）可能なものであるか否かを判定するカード認証部が具備されている。
【００５３】
また、決済管理装置３には、ウェッブ（ＷＷＷ）に接続するためのアプリケーションソフトウェアや、ネットワークを介して接続された代金決済端末機２から従業者の決済データを受け取り記録するためのアプリケーションソフトウェア、決済データの中から所定数字の打刻値データを有する決済データを勤怠データとして抽出するためのアプリケーションソフトウェアが組み込まれている。
【００５４】
勤怠管理装置４は、決済管理装置３より受け取った勤怠データに基づき、カードデータより従業者を特定する従業者特定部３２と、打刻値データより従業者の所定行動を特定する所定行動特定部３３と、代金決済端末機データより勤務先を特定する勤務先特定部３４と、打刻時間データより従業者の所定行動時刻を特定する行動時刻特定部３５と、特定された従業者、所定行動、勤務先、所定行動時刻を記録するデータ記録部３１を具備する。
【００５５】
また、勤怠管理装置４は、決済管理装置３よりた勤怠データを受け取る通信部３６を有すると共に、打刻値データの数値を課金データとして従業者の勤怠管理費用を求める課金演算部３７をも具備する。
【００５６】
また、図示しないが、勤怠管理装置４には、各従業者の属性や勤務予定を予め記録したり、所定の行動によって特定された所定行動時刻を記録したりするための勤務先マスタや、スタッフマスタ、賃金管理マスタとともに、時刻を特定する計時部を有する。また、勤怠管理装置４には、ウェッブ（ＷＷＷ）に接続するためのアプリケーションソフトウェアや、ネットワークを介して接続された代金決済端末機２や決済管理装置３から従業者の決済データもしくは勤怠データを受け取り、勤怠データから従業者、所定行動、勤務先、所定行動時刻を特定するアプリケーションソフトウェア、及び特定した従業者、所定行動、勤務先、所定行動時刻より実績管理報告を作成するためのアプリケーションソフトウェアが組み込まれている。
【００５７】
また、勤怠管理装置４には、図示しないが、勤怠管理装置４に記録されたデータをコピーして読み出し易く管理するテーブル形式のマスタデータや勤務予定データ、勤務実績データ、及びこれらテーブルを検索可能とするための検索エンジンを有する。
【００５８】
ここで、タイムレコーダ機能について簡単に説明すると、タイムレコーダ機能は、上述したように、従業者の出勤時刻や退出時刻等を従業者の識別コード（ＩＤ）に関連付けて入力（打刻）し、従業者の出退予定や休日予定といった勤務予定の管理を行なう勤務予定データと、従業者の実際の出退時刻（勤務実績）の管理を行なう勤務実績データとに基づいて、各従業者の勤務時間の集計、総労働時間の集計、給与計算等を行うものである。
【００５９】
以上のような構成の勤怠管理システム１によってもたらされる従業者の勤怠管理方法の一例を図３に示す。まず、従業者９０がカード決済センタ３へ利用者決済カード５を請求して（（１）参照）、カード決済センタ３より利用者決済カード５の発行を受ける（（２）参照）。次いで、利用者決済カード５の発行を受けた従業者９０と使用者１００との間で雇用契約が成立した後（（３）参照）、従業者９０は使用者１００に対して利用者決済カード５のカード番号を届出する（（４）参照）。その後、従業者９０から利用者決済カード５のカード番号の届出を受けた使用者１００は、そのカード番号をインターネットタイムレコーダ（管理業者）４へ通知して勤怠管理の依頼の登録を行なうと共に、カード決済センタ３へ勤怠管理の依頼を行なったことを連絡する（（５）参照）。これにより、インターネットタイムレコーダでの勤怠管理が行なわれることとなる。なお、利用者決済カード５は、使用者１００がカード決済センタ３へ請求して、従業者９０へ貸し与えるようにしても良い。
【００６０】
そして、自社専用のネットワークタイムレコーダ端末機を有さない（設置していない）勤務先への配属（派遣）を命じられた従業者９０は、勤務先へ出勤すると（（６）参照）、その勤務先に設置されている代金決済端末機２に利用者決済カード５を読み込ませると共に、予め出勤したことと関連付けられている「９」の数字をキー入力部１３より打刻する。このとき、代金決済端末機２においては、打刻値データとしての「９」を課金データとして用いることで、９円の決済データが蓄積される（（７）参照）。
【００６１】
また、従業者９０が昼休憩に入る時（（８）参照）にも、勤務先に設置されている代金決済端末機２に利用者決済カード５を読み込ませると共に、予め休憩入りしたことと関連付けられている「４」の数字をキー入力部１３より打刻することで、同様に４円の決済データが代金決済端末機２に蓄積される（（９）参照）。また、従業者が昼休憩を終えた時（（１０）参照）にも、勤務先に設置されている代金決済端末機２に利用者決済カード５を読み込ませると共に、予め休憩終りしたことと関連付けられている「３」の数字をキー入力部１３より打刻することで、同様に３円の決済データが代金決済端末機２に蓄積される（（１１）参照）。
【００６２】
さらに、従業者９０が退勤する時（（１２）参照）にも、その勤務先に設置されている代金決済端末機２に利用者決済カード５を読み込ませると共に、予め退勤したことと関連付けられている「８」の数字をキー入力部１３より打刻することで、同様に８円の決済データが代金決済端末機２に蓄積される（（１３）参照）。したがって、代金決済端末機２には、合計２４円の決済データが課金データとして蓄積されている。
【００６３】
この際、利用者決済カード５が、クレジットカードであれば、決済された９円や４円、３円、８円に相当する額をまとめた請求データを決済データとして蓄積する。なお、これら出勤、休憩入り、休憩終り、退勤時には、代金決済端末機２に設けられたレシート発行部１５より、例えば図７に示すように、所定行動に伴って受け付けたデータの内容を印字したレシート（領収書）７０を発行（印刷）する。一方、利用者決済カード５が、通貨と等価値を有するデジタルデータを電子貨幣として記録媒体に記録させた電子マネーカードやプリペイドカードであれば、利用者決済カード５に記録されている電子貨幣としてのデジタルデータを、決済された９円や４円、３円、８円に相当する額がその都度減算されるように書き換える。
【００６４】
そして、これら出勤、休憩入り、休憩終り、退勤時に代金決済端末機２に蓄積した各データを、カードデータを読み込んだ代金決済端末機データ及び打刻を行った打刻時間データと共に、決済データとして代金決済端末機２から通信ネットワーク１０を介して決済管理装置（カード決済センタ）３へ、定期的に一日一回、例えば午前０時に送信する（（１４）参照）。
【００６５】
ここで決済データは、例えば図４に示すように、決済データ一覧表４０の形で表すことが出来る。この決済データ一覧表４０には、打刻時間（決済日時）表示欄４３と、伝票番号表示欄４４と、代金決済端末機（店舗番号）表示欄４５と、決済店舗名表示欄４６と、カード番号表示欄４７と、カード所有者（利用者）名表示欄４８と、利用（決済）金額表示欄４９が設けられている。また、決済データ一覧表４０には、勤怠データ４２が混在した形で全ての決済データ４１が表示されている。
【００６６】
代金決済端末機２より決済データの送信を受けた決済管理装置（カード決済センタ）３は、これら決済データの中から予め出勤や退勤等と関連付けられている所定数字を含む決済データを勤怠データとして抽出し（（１５）参照）、この勤怠データを勤怠管理装置（インターネットタイムレコーダ）４へ送る（（１６）参照）。一方、決済管理装置（カード決済センタ）３は、利用者決済カード５がクレジットカードであった場合、請求データに基づいて決済費用の請求を従業者９０に対して行う（（２１）参照）。なお、決済管理装置（カード決済センタ）３より決済費用の請求を受けた従業者９０は、その決済費用の支払いを行うと共に（（２２）参照）、その決済費用を勤怠管理費用として使用者１００に請求する（（２３）参照）。
【００６７】
この際、勤怠管理費用の請求や勤怠状況の評価においては、決済費用の額を証明するために、所定行動に伴って代金決済端末機２のレシート発行部１５より発行（印刷）されたレシート（領収書）７０を用いると良い。このレシート（領収書）７０には、所定行動時間特定のためのレシート発行時間７１、勤務先特定のための加盟店舗７２、従業者特定のための会員番号７３、所定行動及び勤怠管理費特定のための金額７４が表示されている。
【００６８】
また、勤怠データは、例えば図５に示すように、勤怠データ一覧表５０の形で表すことが出来る。この勤怠データ一覧表５０には、決済データ一覧表４０より抽出した勤怠データ４２だけが表示され、所定行動時に打刻を行った打刻時間データを表示する刻時間（決済日時）表示欄４３と、カードデータを読み込んだ代金決済端末機データを表示する代金決済端末機（店舗番号）表示欄４５と、カードデータを表示するカード番号表示欄４７と、打刻値データを表示する利用（決済）金額表示欄４９が設けられている。
【００６９】
また、決済管理装置（カード決済センタ）３より勤怠データの送信を受けた勤怠管理装置（インターネットタイムレコーダ）４は、受け取った勤怠データにおけるカードデータより従業者を特定すると共に、所定の数字の打刻値データよりその行動が何なのか所定行動を特定し、カードデータを読み込んだ代金決済端末機データより従業者の勤務先を特定し、代金決済端末機で打刻を行った打刻時間データより所定行動時刻を特定する（（１７）参照）。その後、勤怠管理装置（インターネットタイムレコーダ）４では、従業者の勤怠状況を管理することが出来る勤怠実績データを作成し（（１８）参照）、この勤怠実績データを使用者１００へ報告する（（１９）参照）。
【００７０】
また、勤怠実績データは、例えば図６に示すように、勤怠実績データ一覧表６０の形で表すことが出来る。この勤怠実績データ一覧表６０には、所定行動時に打刻を行った打刻時間データから特定した従業者の出退（所定行動）日時表示欄６１と、カードデータを読み込んだ代金決済端末機データから特定した従業者の勤務先表示欄６２と、カードデータから特定した従業者の氏名表示欄６３と、打刻値データから特定した出勤や退勤といった従業者の所定行動表示欄６４が設けられている。
【００７１】
そして、勤怠実績データの報告を受けた使用者１００は、勤怠実績データに基づいて従業者９０の勤務評価を行い（（２０）参照）、勤怠管理費用として従業者９０より請求された決済費用を精算した給与を従業者９０に対して支給する（（２４）参照）。また、決済管理装置（カード決済センタ）３（を管理する者）は、利用者決済カード５によって決済された額の決済費用の内、勤怠データより集計した決済費用の額を、勤怠管理費用として勤怠管理装置（インターネットタイムレコーダ）４（を管理する者）に対して支払う。
【００７２】
これにより、スペース的又はコスト的に自社専用のネットワークタイムレコーダに用いる専用端末機が置けない派遣先であっても、例えば予め店舗等に設置された金銭の出納を記録する機械である所謂レジスターのような代金決済端末機を用いる事により、従業者の勤怠管理を行うことが可能となると共に、実際に従業者が勤務した実績に合わせて公平に課金することが可能なものなる。
【００７３】
次に、以上のような構成の勤怠管理システム１における各装置での動作の一例を説明する。図８は、代金決済端末機２側での勤怠管理の流れを示すフローチャート図であり、図９は、決済管理装置３側での勤怠管理の流れを示すフローチャート図であり、図１０は、勤怠管理装置４側での勤怠管理の流れを示すフローチャート図である。
【００７４】
まず、図８に示すように、代金決済端末機２の電源スイッチを入れることによりスタートさせ（Ｓ１）、代金決済端末機２を起動させる（Ｓ２）。次いで、代金決済端末機２では、カードリーダ部より利用者決済カードのカードデータの読み込みが有ったか否か判定が求められる（Ｓ３）。判定の結果、利用者決済カードのカードデータの読み込みが有った場合（Ｙ）は、その利用者決済カードのカードデータを記録すると共に（Ｓ４）、カードデータを読み込んだ代金決済端末機データを記録する（Ｓ５）。しかしながら、利用者決済カードのカードデータの読み込みが無かった場合（Ｎ）は、再度カードリーダ部より利用者決済カードのカードデータの読み込みが有ったか否か判定が求められる（Ｓ３）。
【００７５】
次に、代金決済端末機２では、キー入力部より所定数値の打刻（入力）があったか否か判定が求められる（Ｓ６）。判定の結果、キー入力部より打刻（入力）があった場合（Ｙ）は、その所定数値データを記録すると共に（Ｓ７）、打刻を行った打刻時間データを記録する（Ｓ８）。しかしながら、キー入力部より所定数値の打刻（入力）が無かった場合（Ｎ）は、再度キー入力部より所定数値の打刻（入力）があったか否か判定が求められる（Ｓ６）。
【００７６】
そして、代金決済端末機２に記録されたカードデータ、打刻値データ、代金決済端末機データ、及び打刻時間データが表示されたレシートを発行（Ｓ９）した後、所定の時刻に通信ネットワークに接続し（Ｓ１０）、これらカードデータ、打刻値データ、代金決済端末機データ、及び打刻時間データを、決済データとして代金決済端末機２から通信ネットワーク１０を介して決済管理装置３へ送信する（Ｓ１１）。これにより、代金決済端末機２での勤怠管理は一旦終了し、再度カードリーダ部より利用者決済カードのカードデータの読み込みが有ったか否か判定を求める（Ｓ３）ことによって、新たな勤怠管理を行なう。
【００７７】
また、図９に示すように、代金決済端末機２より決済データが送られる決済管理装置３では、電源スイッチを入れることによりスタートさせ（Ｓ２１）、決済管理装置３を起動させる（Ｓ２２）。
【００７８】
次いで、決済管理装置３では、決済データを受信したか否か判定が求められる（Ｓ２３）。判定の結果、決済データを受信した場合（Ｙ）は、その決済データを記録する（Ｓ２４）。しかしながら、決済データを受信しなかった場合（Ｎ）は、再度決済データを受信したか否か判定が求められる（Ｓ２３）。
【００７９】
次に、決済管理装置３では、受信した決済データの中に所定の打刻値データを有する勤怠データが含まれているか否か判定が求められる（Ｓ２５）。判定の結果、勤怠データが含まれている場合（Ｙ）は、その勤怠データを決済データより抽出し（Ｓ２６）、所定の日時に通信ネットワークに接続して（Ｓ２７）、この勤怠データを決済管理装置３から勤怠管理装置４へ送信する（Ｓ２８）。これにより、決済管理装置での勤怠管理は一旦終了し、再度決済データを受信したか否か判定を求める（Ｓ２３）ことによって、新たな勤怠管理を行なう。
【００８０】
また、決済管理装置３では、受信した決済データの中に勤怠データが含まれていた場合、決済データより勤怠データを抽出した後（Ｓ２６）、勤怠データ中の打刻値データを加算し集計する（Ｓ３０）。そして、集計された打刻値データは、決済管理装置（カード決済センタ）３（を管理する者）より、勤怠管理費として勤怠管理装置（インターネットタイムレコーダ）４（を管理する者）に対して支払われる。
【００８１】
しかしながら、決済管理装置３では、受信した決済データの中に勤怠データが含まれていなかった場合（Ｎ）、決済データ中の打刻値データを加算し集計する（Ｓ２９）。そして、集計された打刻値データは、決済管理装置（カード決済センタ）３（を管理する者）より、決済理費として従業者９０に請求される。
【００８２】
また、図１０に示すように、決済管理装置３より勤怠データが送られる勤怠管理装置４では、電源スイッチを入れることによりスタートさせ（Ｓ３１）、勤怠管理装置４を起動させる（Ｓ３２）。
【００８３】
次いで、決済管理装置４では、勤怠データを受信したか否か判定が求められる（Ｓ３３）。判定の結果、勤怠データを受信した場合（Ｙ）は、その勤怠データを記録する（Ｓ３４）。しかしながら、勤怠データを受信しなかった場合（Ｎ）は、再度勤怠データを受信したか否か判定が求められる（Ｓ３３）。
【００８４】
次に、決済管理装置４では、受信した勤怠データがカードデータであるか否か判定が求められる（Ｓ３５）。判定の結果、カードデータである場合（Ｙ）は、そのカードデータより従業者を特定し（Ｓ３６）、実績管理データを作成する。しかしながら、受信した勤怠データがカードデータで無い場合（Ｎ）は、次に打刻値データであるか否か判定が求められる（Ｓ３７）。判定の結果、打刻値データである場合（Ｙ）は、その打刻値データより予め数字と関連付けて決められた所定行動を特定し（Ｓ３８）、実績管理データを作成する。しかしながら、受信した勤怠データが打刻値データでも無い場合（Ｎ）は、次に代金決済端末機データであるか否か判定が求められる（Ｓ３９）。
【００８５】
判定の結果、代金決済端末機データである場合（Ｙ）は、その代金決済端末機データより勤務先を特定し（Ｓ４０）、実績管理データを作成する。しかしながら、受信した勤怠データが代金決済端末機データでも無い場合（Ｎ）は、次に打刻時間データであるか否か判定が求められる（Ｓ４１）。判定の結果、打刻時間データである場合（Ｙ）は、その打刻時間データより所定行動時間を特定し（Ｓ４２）、実績管理データを作成する。これにより、勤怠管理装置での勤怠管理は一旦終了し、再度勤怠データを受信したか否か判定を求める（Ｓ３３）ことによって、新たな勤怠管理を行なう。そして、作成された実績管理データは、勤怠管理装置（インターネットタイムレコーダ）４（を管理する者）より使用社１００に対して報告される。なお、判定の結果、打刻時間データでない場合（Ｎ）は、再度受信した勤怠データがカードデータであるか否か判定が求められる（Ｓ３５）。
【００８６】
以上のように、スペース的又はコスト的に自社専用のネットワークタイムレコーダに用いる専用端末機が置けない派遣先で、所定の行動を行う毎に、予め店舗等に設置された金銭の出納を記録する機械である所謂レジスターのような代金決済端末機２を用いて決済を行うことで、その決済データが代金決済端末機２から決済管理装置３へ送られる。さらに、決済管理装置３において決済データから所定の行動と関連付けられた数字を含む勤怠データを抽出し、その勤怠データを決済管理装置３から勤怠管理装置４へ送ることで、勤怠管理装置４において勤怠データから従業者、所定行動、勤務先、及び所定行動時刻を特定し、従業者の勤怠状況を管理することが出来る。
【００８７】
なお、上記実施の形態においては、決済管理装置と勤怠管理装置とをそれぞれ別々に構成した場合について説明したが、本発明はこれに限らず、決済管理装置と勤怠管理装置の双方を併せて構成した装置を決済・勤怠管理センタに設置し、代金決済端末機からの決済データをこの装置にて受け取って、勤怠データを抽出し、この勤怠データより勤怠実績データを生成して、従業者の勤怠管理を行うようにしても良い。
【００８８】
【発明の効果】
以上本発明によれば、クレジットカードやデビットカード、プリペイドカード、電子マネーカード（すなわち、通貨と等価値を有するデジタルデータを電子貨幣として記録媒体に記録させたもの）などの決済専用カードを用いることによって、店舗等で商品やサービスの代金の決済を行う代金決済端末機を利用し、シュ出勤や退勤といった予め所定の行動と関連付けた数字を打刻することで、その打刻数字より所定の行動を特定し、スペース的又はコスト的にネットワークタイムレコーダに用いる専用端末機が置けない場合であっても、従業者の勤怠管理を効率良く行なうことが出来る。
【００８９】
しかも、所定の行動が為された時にしか決済されないので、実際に従業者が勤務した実績に合わせて公平に課金することが可能なものとなる。
【００９０】
また、既存の決済システムで用いられている代金決済端末機をそのまま用いるものであるので、専用機の開発費用や製造費用が掛からないことは勿論のこと、別途専用の回線施設やその費用も不要である。
【００９１】
さらに、決済専用カードは、代金の決済が伴うものであるので、他人に貸して代理出勤等を行うような不正行為も未然に防ぐことが出来る。
【図面の簡単な説明】
【図１】本発明の実施の形態に係る勤怠管理方法を実施するためのシステムの一例を示す概略構成図である。
【図２】本発明の実施の形態に係る勤怠管理システムの構成を簡略的に示すブロック図である。
【図３】本発明の実施の形態に係る勤怠管理の流れの一例示すシーケンス図である。
【図４】本発明の実施の形態に係る勤怠管理システムにおける決済管理装置に記録される決済データを示す一例である。
【図５】本発明の実施の形態に係る勤怠管理システムにおける決済管理装置にて抽出された勤怠データを示す一例である。
【図６】本発明の実施の形態に係る勤怠管理システムにおける勤怠管理装置にて特定される勤怠実績データを示す一例である。
【図７】本発明の実施の形態に係る勤怠管理システムにおける代金決済端末機にて発行されるレシートを示す一例である。
【図８】本発明の実施の形態に係る代金決済端末機側での勤怠管理の流れを示すフローチャート図である。
【図９】本発明の実施の形態に係る決済管理装置側での勤怠管理の流れを示すフローチャート図である。
【図１０】本発明の実施の形態に係る勤怠管理装置側での勤怠管理の流れを示すフローチャート図である。
【符号の説明】
１・・・勤怠管理システム、２・・・代金決済端末機、
３・・・決済管理装置（カード決済センタ）、
４・・・勤怠管理装置（インターネットタイムレコーダ）、
５・・・利用者決済カード、１０・・・ネットワーク、
１１・・・スリット部、１２ａ・・・カードリーダ部、
１２ｂ・・・カードライタ部、
１３・・・キー入力部（テンキー）、１４・・・表示部（ディスプレイ）、
１５・・・レシート発行部（プリンタ）、１６・・・通信部、
２１・・・データ記録部、２２・・・データ抽出部、２３・・・通信部、
３１・・・データ記録部、３２・・・従業者特定部、
３３・・・所定行動特定部、
３４・・・勤務先特定部、３５・・・行動時刻特定部、３６・・・課金演算部、
３７・・・通信部、４０・・・決済データ一覧表、４１・・・決済データ、
４２・・・勤怠データ、４３・・・打刻時間（決済日時）表示欄、
４４・・・伝票番号表示欄、４５・・・代金決済端末機（店舗番号）表示欄、
４６・・・決済店舗名表示欄、４７・・・カード番号表示欄、
４８・・・カード所有者（利用者）名表示欄、
４９・・・利用（決済）金額表示欄、
５０・・・勤怠データ一覧表、６０・・・勤怠実績データ一覧表、
６１・・・所定行動時刻表示欄、６２・・・勤務先表示欄、
６３・・・従業者名表示欄、６４・・・所定行動表示欄、
７０・・・レシート、７１・・・レシート発行時間、７２・・・加盟店舗、
７３・・・会員番号、７４・・・金額、９０・・・従業者、
１００・・・使用者。
【図１】
2004227548.tif 000003
【図２】
2004227548.tif 000004
【図３】
2004227548.tif 000005
【図４】
2004227548.tif 000006
【図５】
2004227548.tif 000007
【図６】
2004227548.tif 000008
【図７】
2004227548.tif 000009
【図８】
2004227548.tif 000010
【図９】
2004227548.tif 000011
【図１０】
2004227548.tif 000012